(57)【要約】      （修正有）【課題】脚部を容易に回動させることができる折り畳み脚付き家具を提供する。【解決手段】天板１２に設けられる複数組の折り畳み脚１３と、折り畳み脚１３に対応してそれぞれ設けられたストッパ１８と、を備え、折り畳み脚１３は、一端部２６がヒンジ２８を介して天板１２の裏面２０に連結された一対の脚部１６と、対向する脚部１６の一端部２６同士を連結する横架材３８と、を含んで構成され、ストッパ１８は、横架材３８に対して離間した位置に設けられた複数のストッパブラケット４８と、各ストッパブラケット４８に対応してそれぞれ設けられ、長手方向の一方の端部側がストッパブラケット４８に回動可能に支持されかつ他方の端部側が天板１２側へ付勢されて横架材３８の下側壁部に当接する複数のストッパ板５０と、複数のストッパ板５０の他方の端部同士を連結するストッパ連結部材６４と、を含んで構成されている。【選択図】図２
0003199493.tif 000002
【実用新案登録請求の範囲】
【請求項１】
天板と、
前記天板に対して垂直方向に配置される使用状態と前記天板に対して平行に配置される収納状態とを選択的にとることが可能な複数組の折り畳み脚と、
前記複数組の折り畳み脚に対応してそれぞれ設けられ、前記折り畳み脚を選択させた状態に保持する複数組のストッパと、
を備え、
前記折り畳み脚は、互いに対向して配置され各々一端部がヒンジを介して前記天板の裏面に連結された一対の脚部と、前記一対の脚部の前記一端部同士を連結する横架材と、を含んで構成され、
前記ストッパは、前記天板の裏面でかつ前記横架材に対して一方側の離間した位置に設けられた複数のストッパブラケットと、各前記ストッパブラケットに対応してそれぞれ設けられると共に各々長尺状に形成され、長手方向の一方の端部側が前記ストッパブラケットに回動可能に支持されかつ他方の端部側が前記天板側へ付勢されて前記横架材の下側壁部に当接する複数のストッパ板と、前記複数のストッパ板の前記他方の端部同士を連結するストッパ連結部材と、を含んで構成されている、
折り畳み脚付き家具。
【請求項２】
前記ストッパ連結部材は、直線状に形成されている、
請求項１記載の折り畳み脚付き家具。
【請求項３】
前記ストッパ連結部材の長手方向の中央部には、前記天板と離間する方向へ突出した取手部が設けられている、
請求項１又は請求項２記載の折り畳み脚付き家具。
【請求項４】
前記取手部は、前記ストッパ連結部材と一体的に形成されている、
請求項３記載の折り畳み脚付き家具。
【請求項５】
前記ストッパ連結部材は、長手方向に直交する断面形状が前記ストッパ板の前記他方の端部が固定される底壁部と、当該底壁部から垂直方向に延出された一対の側壁部とで略Ｕ字状に形成されている、  
請求項１〜請求項４のいずれか一項に記載の折り畳み脚付き家具。
【請求項６】
前記ストッパ連結部材と前記ストッパ板は、前記ストッパ連結部材の前記底壁部において締結具で締結固定されている、
請求項５記載の折り畳み脚付き家具。
【請求項７】
前記ストッパ連結部材の一対の前記側壁部は、当該一対の側壁部間に位置する前記締結具の締結端部の高さよりも高く設定されている、
請求項６記載の折り畳み脚付き家具。
【請求項８】
前記ストッパ連結部材における一対の前記側壁部は、前記締結具の一部を構成するナットを狭持している、請求項６又は請求項７記載の折り畳み脚付き家具。
【請求項９】
前記ストッパ連結部材と前記ストッパ板とは、複数の前記締結具により複数箇所で締結固定されている、
請求項７又は請求項８記載の折り畳み脚付き家具。
【請求項１０】
平面視で矩形状に形成された天板と、
前記天板の長手方向端部の裏面側にそれぞれ設けられると共に前記天板に対して垂直方向に配置される使用状態と前記天板に対して平行に配置される収納状態とを選択的にとることが可能な２組の折り畳み脚と、
前記２組の折り畳み脚に対応してそれぞれ設けられ、前記折り畳み脚を選択させた状態に保持する２組のストッパと、
を備え、
前記折り畳み脚は、互いに対向して配置され各々一端部がヒンジを介して前記天板の裏面に連結された一対の脚部と、前記一対の脚部の前記一端部同士を連結する横架材と、対向する前記脚部の他端部同士を連結する脚部連結部材と、を含んで構成され、
前記ストッパは、前記天板の裏面でかつ前記横架材に対して一方側の離間した位置に設けられた２つのストッパブラケットと、各前記ストッパブラケットに対応してそれぞれ設けられると共に各々長尺状に形成され、長手方向の一方の端部側が前記ストッパブラケットに回動可能に支持されかつ他方の端部側が前記天板側へ付勢されて前記横架材の下側壁部に当接する２つのストッパ板と、前記２つのストッパ板の前記他方の端部同士を連結するストッパ連結部材と、を含んで構成されている、
折り畳み脚付き家具。
【考案の詳細な説明】
【技術分野】
【０００１】
本考案は、折り畳み脚付き家具に関する。
【背景技術】
【０００２】
下記非特許文献１には、折り畳み脚付き家具の構造が開示されている。具体的には、平面視で矩形板状の天板と、天板の長手方向の端部に２つずつ設けられた脚部と、脚部に対して平面視で天板内側に設けられかつ矩形状に形成されたストッパ板と、を有している。脚部は、天板の裏面にヒンジを介して取り付けられており、このヒンジによって回動することで折り畳みが可能とされている。また、天板の端部に設けられた２つの脚部は、互いに横架材によって連結されている。さらに、ストッパ板は、天板裏面に設けられたストッパブラケットを中心として天板に回動可能に取り付けられており、長手方向の一方の端部が横架材に当接するように設定されている。このストッパ板の一方の端部は、ストッパ板とストッパブラケットとの間に設けられたスプリングの付勢力によって天板側へ押し付けられていることから、脚部は不意に折り畳まれないように回動が制限される。脚部を回動させる場合には、ストッパ板の他方の端部を天板側へと押すことで、ストッパブラケットを中心にストッパ板が回動して一方の端部が横架材から離間する。これにより、制限が解除されて脚部を回動させることができる。
【先行技術文献】
【特許文献】
【０００３】
【非特許文献１】若泉漆器株式会社「家具ダイジェストカタログ」４頁
【考案の概要】
【考案が解決しようとする課題】
【０００４】
しかしながら、非特許文献１に開示された構成の場合、ストッパ板は、他方の端部近傍でストッパブラケットに取り付けられている。つまり、他方の端部からストッパブラケットまでの距離が短いため、ストッパ板の他方の端部を天板側へと押す際に大きな操作力が必要となる。したがって、脚部を回動させるための操作が容易ではなく、上記先行技術はこの点で改良の余地がある。
【０００５】
本考案は上記問題を考慮し、脚部を回動させるための操作が容易にできる折り畳み脚付き家具を得ることを目的とする。
【課題を解決するための手段】
【０００６】
請求項１記載の考案に係る折り畳み脚付き家具は、天板と、前記天板に対して垂直方向に配置される使用状態と前記天板に対して平行に配置される収納状態とを選択的にとることが可能な複数組の折り畳み脚と、前記複数組の折り畳み脚に対応してそれぞれ設けられ、前記折り畳み脚を選択させた状態に保持する複数組のストッパと、を備え、前記折り畳み脚は、互いに対向して配置され各々一端部がヒンジを介して前記天板の裏面に連結された一対の脚部と、前記一対の脚部の前記一端部同士を連結する横架材と、を含んで構成され、前記ストッパは、前記天板の裏面でかつ前記横架材に対して一方側の離間した位置に設けられた複数のストッパブラケットと、各前記ストッパブラケットに対応してそれぞれ設けられると共に各々長尺状に形成され、長手方向の一方の端部側が前記ストッパブラケットに回動可能に支持されかつ他方の端部側が前記天板側へ付勢されて前記横架材の下側壁部に当接する複数のストッパ板と、前記複数のストッパ板の前記他方の端部同士を連結するストッパ連結部材と、を含んで構成されている。
【０００７】
請求項２記載の考案に係る折り畳み脚付き家具は、請求項１記載の考案において、前記ストッパ連結部材は、直線状に形成されている。
【０００８】
請求項３記載の考案に係る折り畳み脚付き家具は、請求項１又は請求項２記載の考案において、前記ストッパ連結部材の長手方向の中央部には、前記天板と離間する方向へ突出した取手部が設けられている。
【０００９】
請求項４記載の考案に係る折り畳み脚付き家具は、請求項３記載の考案において、前記取手部は、前記ストッパ連結部材と一体的に形成されている。
【００１０】
請求項５記載の考案に係る折り畳み脚付き家具は、請求項１〜請求項４のいずれか一項に記載の考案において、前記ストッパ連結部材は、長手方向に直交する断面形状が前記ストッパ板の前記他方の端部が固定される底壁部と、当該底壁部から垂直方向に延出された一対の側壁部とで略Ｕ字状に形成されている。
【００１１】
請求項６記載の考案に係る折り畳み脚付き家具は、請求項５記載の考案において、前記ストッパ連結部材と前記ストッパ板は、前記ストッパ連結部材の前記底壁部において締結具で締結固定されている。
【００１２】
請求項７記載の考案に係る折り畳み脚付き家具は、請求項６記載の考案において、前記ストッパ連結部材の一対の前記側壁部は、当該一対の側壁部間に位置する前記締結具の締結端部の高さよりも高く設定されている。
【００１３】
請求項８記載の考案に係る折り畳み脚付き家具は、請求項６又は請求項７記載の考案において、前記ストッパ連結部材における一対の前記側壁部は、前記締結具の一部を構成するナットを狭持している。
【００１４】
請求項９記載の考案に係る折り畳み脚付き家具は、請求項７又は請求項８記載の考案において、前記ストッパ連結部材と前記ストッパ板とは、複数の前記締結具により複数箇所で締結固定されている。
【００１５】
請求項１０記載の考案に係る折り畳み脚付き家具は、平面視で矩形状に形成された天板と、前記天板の長手方向端部の裏面側にそれぞれ設けられると共に前記天板に対して垂直方向に配置される使用状態と前記天板に対して平行に配置される収納状態とを選択的にとることが可能な２組の折り畳み脚と、前記２組の折り畳み脚に対応してそれぞれ設けられ、前記折り畳み脚を選択させた状態に保持する２組のストッパと、を備え、前記折り畳み脚は、互いに対向して配置され各々一端部がヒンジを介して前記天板の裏面に連結された一対の脚部と、前記一対の脚部の前記一端部同士を連結する横架材と、対向する前記脚部の他端部同士を連結する脚部連結部材と、を含んで構成され、前記ストッパは、前記天板の裏面でかつ前記横架材に対して一方側の離間した位置に設けられた２つのストッパブラケットと、各前記ストッパブラケットに対応してそれぞれ設けられると共に各々長尺状に形成され、長手方向の一方の端部側が前記ストッパブラケットに回動可能に支持されかつ他方の端部側が前記天板側へ付勢されて前記横架材の下側壁部に当接する２つのストッパ板と、前記２つのストッパ板の前記他方の端部同士を連結するストッパ連結部材と、を含んで構成されている。
【００１６】
請求項１記載の考案によれば、ストッパ板の他方の端部は天板側へ付勢されながら脚部の横架材に当接する。換言すると、脚部の横架材にストッパ板の他方の端部が押し付けられる。これによって、脚部は不意に折り畳まれないようにヒンジを中心とした回動が制限される。脚部を回動させる場合は、ストッパ板の他方の端部同士を連結するストッパ連結部材を把持して天板と離間する方向へ引っ張り、ストッパ板の他方の端部を横架材から離間させることで、制限が解除されて脚部を回動させることができる。このとき、ストッパブラケットからの距離が長いストッパ板の他方の端部を操作することから、てこの原理によりストッパブラケットからの距離が近いストッパ板の一方の端部を操作する場合と比べて操作力を小さくすることができる。
【００１７】
請求項２記載の考案によれば、ストッパ連結部材は複数のストッパ板の他方の端部同士を最短距離で連結するため、直線状以外の形状と比べて使用する材料を少なくすることが可能となる。したがって、ストッパ連結部材自体の重量を軽くすることができる。
【００１８】
請求項３記載の考案によれば、ストッパ連結部材に形成された取手部は天板と離間する方向へ突出していることから、取手部と横架材の下側壁部との間には隙間が形成される。これにより、操作者がストッパ連結部材の取手部を把持する際に指が横架材と当接しにくくなるため、指を取手部ひいてはストッパ連結部材に深く掛けることができる。したがって、操作者が確実にストッパ連結部材を操作することができる。
【００１９】
請求項４記載の考案によれば、取手部がストッパ連結部材と一体的に形成されているため、部品点数を少なくすることが可能となる。
【００２０】
請求項５記載の考案によれば、ストッパ連結部材が長手方向に直交する断面で略Ｕ字状に形成されていることから、ストッパ連結部材の断面二次モーメントが大きくなりストッパ連結部材自体が曲がりにくくなる。
【００２１】
請求項６記載の考案によれば、ストッパ連結部材とストッパ板は、ストッパ連結部材の底壁部において締結具で締結固定されていることから、ストッパ連結部材とストッパ板の他方の端部とを締結具によって容易に締結することができる。
【００２２】
請求項７記載の考案によれば、ストッパ連結部材の一対の側壁部は、当該一対の側壁部間に位置する締結具の締結端部の高さよりも高く設定されていることから、側壁部によって外部から締結端部が見えにくくすることができる。
【００２３】
請求項８記載の考案によれば、締結具は一方の側壁部と他方の側壁部とで狭持されることで、締結時における締結具自体の回転を側壁部によって抑えることができる（側壁部が回り止めとして機能する）ので、締結作業時に締結具が回転しないように保持する作業が不要となる。
【００２４】
請求項９記載の考案によれば、ストッパ連結部材とストッパ板とは、複数の締結具により締結されていることから、ストッパ連結部材とストッパ板との締結をより強固なものにすることができる。
【００２５】
請求項１０記載の考案によれば、ストッパ板の他方の端部は天板側へ付勢されながら脚部の横架材に当接する。換言すると、脚部の横架材にストッパ板の他方の端部が押し付けられる。これによって、脚部は不意に折り畳まれないようにヒンジを中心とした回動が制限される。脚部を回動させる場合は、ストッパ板の他方の端部同士を連結するストッパ連結部材を把持して天板と離間する方向へ引っ張り、ストッパ板の他方の端部を横架材から離間させることで、制限が解除されて脚部を回動させることができる。このとき、ストッパブラケットからの距離が長いストッパ板の他方の端部を操作することから、てこの原理によりストッパブラケットからの距離が近いストッパ板の一方の端部を操作する場合と比べて操作力を小さくすることができる。
【考案の効果】
【００２６】
請求項１、１０記載の本考案に係る折り畳み脚付き家具は、脚部を回動させるための操作が容易にできるという優れた効果を有する。
【００２７】
請求項２記載の本考案に係る折り畳み脚付き家具は、重量を抑制すると共に脚部を容易に回動させることができるという優れた効果を有する。
【００２８】
請求項３記載の本考案に係る折り畳み脚付き家具は、操作性を向上させることができるという優れた効果を有する。
【００２９】
請求項４記載の本考案に係る折り畳み脚付き家具は、コストを抑制することができるという優れた効果を有する。
【００３０】
請求項５記載の本考案に係る折り畳み脚付き家具は、ストッパ連結部材自体の曲げ剛性を向上させることができるという優れた効果を有する。
【００３１】
請求項６記載の本考案に係る折り畳み脚付き家具は、取付作業性を向上させることができるという優れた効果を有する。
【００３２】
請求項７記載の本考案に係る折り畳み脚付き家具は、外観品質を向上させることができるという優れた効果を有する。
【００３３】
請求項８記載の本考案に係る折り畳み脚付き家具は、取付作業性をより向上させることができるという優れた効果を有する。
【００３４】
請求項９記載の本考案に係る折り畳み脚付き家具は、取付剛性を向上させることができるという優れた効果を有する。
【図面の簡単な説明】
【００３５】
【図１】一実施形態に係る折り畳み脚付き家具の使用状態を示す斜視図である。
【図２】一実施形態に係る折り畳み脚付き家具を上下逆に見た状態を示す斜視図である。
【図３】図２における一方の脚部を示す斜視図である。
【図４】図３における操作状態を示す斜視図である。
【図５】一実施形態に係る折り畳み脚付き家具の脚部を収納した状態を上下逆に見た状態を示す斜視図である。
【図６】（Ａ）は図３におけるＡ−Ａ線に沿って切断した状態を示す拡大断面図であり、（Ｂ）は（Ａ）に対しその他の実施例を示す拡大断面図である。
【図７】対比例に係る折り畳み脚付き家具の一方の脚部を上下逆に見た状態を示す斜視図である。
【考案を実施するための形態】
【００３６】
以下、図１〜６を用いて、本考案に係る折り畳み脚付き家具の一実施形態について説明する。
【００３７】
図１に示されるように、折り畳み脚付き家具としてのテーブル１０は、天板１２と、脚部１６と、ストッパ１８（図２参照）とを含んで構成されている。天板１２は、平面視で略矩形の板状に形成されている。
【００３８】
図２に示されるように、天板１２の裏面２０における長手方向の端部２２、２４には、それぞれ折り畳み脚１３が２つずつ取り付けられている。この折り畳み脚１３は、角柱状に形成された対向する２つの脚部１６と、対向する脚部１６同士を連結する横架材３８と、を含んで構成されている。
【００３９】
脚部１６は、長手方向の一端部２６がヒンジ２８を介して天板１２に略垂直方向に沿って取り付けられている。このヒンジ２８は、一方のヒンジブラケット３０と他方のヒンジブラケット３１とが天板１２の短手方向を軸方向とする図示しない軸を中心に回動可能な構成とされている。一方のヒンジブラケット３０は、脚部１６の内側側面３４に取り付けられており、他方のヒンジブラケット３０は、天板１２の裏面２０に取り付けられていることから、脚部１６は長手方向が天板１２の長手方向と平行になるように天板内側へ倒すことができる（図５参照）。つまり、端部２２に取り付けられた２つの脚部１６はそれぞれ同一方向に変位される。同様に、端部２４に取り付けられた２つの脚部１６もそれぞれ同一方向に変位される。
【００４０】
図３に示されるように、端部２２における２つの脚部１６は、横架材３８によって連結されている。この横架材３８は、矩形板状に形成されており、短手方向が脚部１６の長手方向に沿う向きで脚部１６における脚部１６同士が対向する側面４０に取り付けられている。したがって、端部２２における２つの脚部１６は、同時に回動される。なお、端部２４における２つの脚部１６も同様の構成とされている。
【００４１】
端部２２、２４における脚部１６の他端部４４は、脚部連結部材４６によって一体的に連結されている。この脚部連結部材４６は、矩形板状に形成されており、長手方向の両端部が脚部１６の他端部４４と結合されている。
【００４２】
天板１２の裏面２０には、折り畳み脚１３に対応してストッパ１８が設けられている。このストッパ１８は、脚部１６（端部２２）に対し平面視で天板内側に２つ設けられている。それぞれのストッパ１８は、天板短手方向に離間して設けられている。このストッパ１８は、ストッパブラケット４８と、ストッパ板５０と、ストッパ連結部材６４と、図示しないスプリングと、を含んで構成されている。
【００４３】
天板１２の裏面２０には、ストッパブラケット４８が取り付けられている。このストッパブラケット４８は、天板１２の裏面２０と当接する底壁部５４と、この底壁部５４における天板短手方向の端部から底壁部５４に対して略垂直下側へ延出された側壁部５６と、によって断面略Ｕ字状に形成されている。側壁部５６には、板厚方向に図示しない貫通孔が形成されており、この貫通孔と後述するストッパ板５０とに天板１２の短手方向を軸方向とする図示しない軸が挿通されている。
【００４４】
ストッパ板５０は、長手方向が天板長手方向と同一とされた略矩形板状に形成されていると共に、短手方向端部から略垂直方向に沿って天板１２と離間する方向へ延出された側壁部５８が設けられている。この側壁部５８におけるストッパ板５０の長手方向の一方の端部６０側には、板厚方向に貫通された図示しない貫通孔が形成されており、前述のようにこの貫通孔とストッパブラケット４８の貫通孔とに図示しない軸が挿通されることで、ストッパ板５０はストッパブラケット４８に対して垂直方向に沿って回動可能に取り付けられている。
【００４５】
ストッパ板５０の長手方向の他方の端部６１には、横架材当接部６２が形成されている。この横架材当接部６２は、ストッパ板５０の側壁部５８が切り掛かれて形成されており、天板１２に対して略垂直状態の脚部１６における横架材３８の下側壁部５９と当接するよう設定されている。
【００４６】
ストッパ板５０とストッパブラケット４８との間には、図示しないスプリングが取り付けられている。このスプリングの付勢力によって、ストッパ板５０の他方の端部６１は、天板１２の裏側へ当接する方向に付勢されている。つまり、横架材当接部６２は下側壁部５９に押し付けられている。
【００４７】
一方のストッパ板５０の端部６１と、他方のストッパ板５０の端部６１とは、ストッパ連結部材６４によって連結されている。このストッパ連結部材６４は、長尺状に形成されており、長手方向に直交する断面形状が底壁部６５と、この底壁部６５から垂直方向に延出された一対の側壁部６７とで略Ｕ字状に形成されている（図６（Ａ）参照）。この一対の側壁部６７は、当該一対の側壁部６７間に位置する後述する締結具としてのナット４２及びタッピング３２の締結端部４３よりも高く設定されている。
【００４８】
ストッパ連結部材６４の長手方向の略中央部には、取手部６６が形成されている。この取手部６６は、天板１２に対して離間する方向（図３では図面上方）へ突出するように形成されている。これにより、取手部６６と横架材３８との間には隙間６８が形成される。
【００４９】
ストッパ連結部材６４は、長手方向の一方の端部が一方のストッパ板５０の端部６１に締結固定されていると共に、他方の端部が他方のストッパ板５０の端部６１に締結固定されている。具体的には、図６（Ａ）に示されるように、ストッパ連結部材６４の底壁部６５には板厚方向に貫通された貫通孔５２が形成されている。また、ストッパ連結部材６４の断面内部に締結具の一部を構成するナット４２が底壁部６５の貫通孔５２に対応した位置に設けられている。さらに、ストッパ板５０の端部６１には、この貫通孔５２と対応した位置に板厚方向に貫通された締結孔３６が形成されており、この締結孔３６と貫通孔５２とにタッピング３２等を挿通させてナット４２で締結することでストッパ連結部材６４とストッパ板５０とは締結固定される。
【００５０】
ストッパ連結部材６４の一方の側壁部６７から他方の側壁部６７までの寸法は、ナット４２の幅の寸法と略同一に設定されている。これにより、ナット４２と側壁部６７とが当接されており、換言すると一対の側壁部６７でナット４２が狭持されている構成とされている。また、図示はしないが、各ストッパ板５０の端部６１とストッパ連結部材６４とは、それぞれ２つずつのナット４２及びタッピング３２によって複数個所で締結固定されている。
【００５１】
次に、本実施形態の作用並びに効果を説明する。
【００５２】
ここで、図７に示される対比例を用いながら、本実施形態の作用並びに効果を説明することにする。なお、本実施形態と同一構成部分については同一番号を付してその説明を省略する。
【００５３】
図７に示されるように、テーブル１００は、天板１２と、脚部１６と、脚部１６に対して平面視で天板内側に設けられかつ矩形状に形成されたストッパ板１０２と、を有している。ストッパ板１０２は、天板裏面に設けられたストッパブラケット４８を中心として天板１２に回動可能に取り付けられており、長手方向の一方の端部１０４が横架材３８に当接するように設定されている。このストッパ板１０２の一方の端部１０４は、ストッパ板とストッパブラケットとの間に設けられたスプリングの付勢力によって天板側へ押し付けられていることから、脚部１６は不意に折り畳まれないように回動が制限される。脚部１６を回動させる場合には、ストッパ板１０２の他方の端部１０６を天板１２側へと押すことで、ストッパブラケット４８を中心にストッパ板１０２が回動して一方の端部１０４が横架材３８から離間する。これにより、制限が解除されて脚部を回動することができる。
【００５４】
しかしながら、対比例の構成の場合、ストッパ板１０２は、他方の端部１０６近傍でストッパブラケット４８に取り付けられている。つまり、他方の端部１０６からストッパブラケット４８までの距離が短いため、ストッパ板１０２の他方の端部１０６を天板１２側へと押す際に大きな操作力が必要となる。したがって、脚部１６を回動させるための操作が容易ではなく、対比例はこの点で改良の余地がある。
【００５５】
これに対し、図３に示される本実施形態では、ストッパ板５０の他方の端部６０は付勢されながら脚部１６の横架材３８に当接する。換言すると、脚部１６の横架材３８にストッパ板５０の他方の端部６０が押し付けられる。具体的には、脚部１６の長手方向が天板１２に対し略垂直方向に位置する使用状態では、横架材３８の下側壁部５９にストッパ板５０の端部６０における横架材当接部６２が押し付けられる。これによって、脚部１６のヒンジ２８を中心とした回動が制限されて、脚部１６は不意に折り畳まれないようにロックされる。また、図５に示されるように、脚部１６の長手方向が天板１２の長手方向と平行に位置する収納状態では、横架材３８の側壁部７２にストッパ１８の側壁部５８下部が押し付けられる。これによって、使用状態と同様に、脚部１６のヒンジ２８を中心とした回動が制限されて、脚部１６は折り畳み状態を維持するようにロックされる。
【００５６】
脚部１６を使用状態から収納状態へ又は収納状態から使用状態へ回動させる場合は、ストッパ板５０の他方の端部６０同士を連結するストッパ連結部材６４を把持して天板１２と離間する方向へ引っ張り、ストッパ板５０の他方の端部６０を横架材３８から離間させることで、制限が解除されて脚部１６を回動させることができる。このとき、ストッパブラケット４８からの距離が長いストッパ板５０の他方の端部６１を操作することから、てこの原理によりストッパブラケット４８からの距離が近いストッパ板５０の一方の端部６０を操作する場合と比べて操作力を小さくすることができる。これにより、脚部１６を回動させるための操作が容易にできる。
【００５７】
また、ストッパ連結部材６４に形成された取手部６６は天板１２と離間する方向へ突出していることから、取手部６６と横架材３８の下側壁部５９との間には隙間６８が形成される。これにより、図４に示されるように、操作者Ｐがストッパ連結部材６４の取手部６６を把持する際に指Ｆが横架材３８と当接しにくくなるため、指Ｆを取手部６６ひいてはストッパ連結部材６４に深く掛けることができる。したがって、操作者Ｐが確実にストッパ連結部材６４を操作することができる。これにより、操作性を向上させることができる。
【００５８】
さらに、取手部６６がストッパ連結部材６４と一体的に形成されているため、部品点数を少なくすることが可能となる。これにより、コストを抑制することができる。
【００５９】
さらにまた、ストッパ連結部材６４が図６（Ａ）に示されるように、長手方向に直交する断面で略Ｕ字状に形成されていることから、ストッパ連結部材６４の断面二次モーメントが大きくなりストッパ連結部材６４自体が曲がりにくくなる。これにより、ストッパ連結部材６４自体の曲げ剛性を向上させることができる。
【００６０】
また、ストッパ板５０の他方の端部６１にストッパ連結部材６４を取り付ける作業を断面Ｕ字状の開口側から行うことができるため、作業性を向上させることができる。
【００６１】
さらに、ストッパ連結部材６４とストッパ板５０は、ストッパ連結部材６４の底壁部６５においてナット４２及びタッピング３２で締結固定されていることから、ストッパ連結部材６４とストッパ板５０の他方の端部６１とをナット４２によって容易に締結することができる。これにより、取付作業性を向上させることができる。
【００６２】
さらにまた、ストッパ連結部材６４の一対の側壁部６７は、当該一対の側壁部６７間に位置するナット４２及びタッピング３２の締結端部４３の高さよりも高く設定されていることから、側壁部６７によって外部から締結端部４３が見えにくくすることができる。これにより、外観品質を向上させることができる。
【００６３】
また、ナット４２は一方の側壁部６７と他方の側壁部６７とで狭持されることで、締結時におけるナット４２自体の回転を側壁部６７によって抑えることができる（側壁部６７が回り止めとして機能する）ので、締結作業時にナット４２が回転しないように保持する作業が不要となる。これにより、取付作業性をより向上させることができる。
【００６４】
さらに、ストッパ連結部材６４とストッパ板５０とは、複数のナット４２により締結されていることから、ストッパ連結部材６４とストッパ板５０との締結をより強固なものにすることができる。これにより、取付剛性を向上させることができる。
【００６５】
なお、本実施形態では、ストッパ連結部材６４は一方の側壁部６７から他方の側壁部６７までの寸法がナット４２の幅の寸法と略同一に設定されているが、これに限らず、図６（Ｂ）に示されるように、一対の側壁部７８をナット４２の幅の寸法以上に設定してナット４２をストッパ７４の底壁部７６に溶接等により結合させる構成としてもよい。
【００６６】
以上、本考案の実施形態について説明したが、本考案は、上記に限定されるものでなく、その主旨を逸脱しない範囲内において上記以外にも種々変形して実施することが可能であることは勿論である。
【符号の説明】
【００６７】
１２   天板
１３   折り畳み脚
１６   脚部
１８   ストッパ
２０   裏面
２６   一端部
２８   ヒンジ
３２   タッピング（締結具）
３８   横架材
４２   ナット（締結具）
４４   他端部
４８   ストッパブラケット
５０   ストッパ板
６０   一方の端部
６１   他方の端部
６４   ストッパ連結部材
６５   底壁部
６６   取手部
６７   側壁部
【図１】
0003199493.tif 000003
【図２】
0003199493.tif 000004
【図３】
0003199493.tif 000005
【図４】
0003199493.tif 000006
【図５】
0003199493.tif 000007
【図６】
0003199493.tif 000008
【図７】
0003199493.tif 000009